(57)【要約】【課題】照明器具が取付けられる前に使用する投光器について、電源手段が高所等の手が届きにくい場所にある場合でも電源接続用端子を容易に接続可能としながら発光部を適切な位置で支持できるようにする。【解決手段】上下に所定の長さを有する棒状のロッド部３Ａとロッド部３Ａ下端側に設けられ電気的に発光する発光部２Ａとロッド部３Ａ上端側に設けられ電源手段に接続するための接続部４Ａとを備え、発光部２Ａから延出された配線３１が接続部４Ａの電源接続用端子に接続されてなる投光器１Ａであって、接続部４Ａに電源手段側に係合して係止される係合構造および電源接続用端子としての接続金具４１ａ，４１ｂを備えており、これを電源手段側の係合構造に係合させることで、発光部２Ａが所定位置で支持されるとともに電源に接続され、配線３１に通電させることで発光部２Ａが発光して所定の方向に投光するものとした。【選択図】図１
0003123398.tif 000002
【実用新案登録請求の範囲】
【請求項１】
上下に所定の長さを有する棒状のロッド部と該ロッド部下端側に設けられた電気的に発光する発光部と前記ロッド部上端側に設けられた電源手段に接続するための接続部とを備え、前記発光部から延出された配線が前記接続部の電源接続用端子に接続されてなる投光器であって、
前記接続部は電源手段側に係合して係止される係合構造を備えており、該係合構造を前記電源手段側の係合構造に係合させることにより、前記発光部が所定位置で支持されるとともに前記電源接続用端子が電源に電気的に接続され、前記配線に通電させることで前記発光部が発光して所定の方向に投光する、
ことを特徴とする投光器。
【請求項２】
前記接続部は、引掛シーリング用のアダプタ部材を接続金具側を上向きにして有しており、該アダプタ部材を天井に配設された前記電源手段としての引掛シーリングに接続することにより電源に接続されて吊支される、ことを特徴とする請求項１に記載した投光器。
【請求項３】
前記接続部は、前記ロッド部上端側から上向きに突設したコンセント用端子に、下向きのコンセント孔を有する前記アダプタ部材を係脱自在にコンセント接続してなるものである、ことを特徴とする請求項２に記載した投光器。
【請求項４】
前記コンセント用端子と前記アダプタ部材との接続は、前記ロッド部上端側に設けた係合構造と前記アダプタ部材に設けた係合構造とが係合することで補強されている、ことを特徴とする請求項３に記載した投光器。
【請求項５】
外した前記アダプタ部材を前記ロッド部側面の所定位置で保持するための保持構造を備えている、ことを特徴とする請求項３または４に記載した投光器。
【請求項６】
前記ロッド部は、複数の径の異なる管状部材からなり振出し釣竿式に長さ方向に所定範囲で伸縮自在とされており、且つ、所定の固定手段が前記管状部材の連結位置に配設されて前記管状部材同士を所定位置で係止して長さを固定できるものとされている、ことを特徴とする請求項１，２，３，４または５に記載した投光器。
【請求項７】
前記発光部の投光をＯＮ／ＯＦＦ操作するためのスイッチ手段が所定位置に設けられている、ことを特徴とする請求項１，２，３，４，５または６に記載した投光器。
【請求項８】
前記接続部は、前記ロッド部上端側に所定のジョイント手段で接続され、前記電源接続用端子の先端の向きを前記ロッド部の中心軸線に沿う向きから所定範囲で屈曲可能とされている、ことを特徴とする請求項１，２，３，４，５，６または７に記載した投光器。
【請求項９】
前記ジョイント手段はユニバーサルジョイントであり、前記電源接続用端子の先端が任意の方向に屈曲可能とされているとともに所定範囲で旋回可能とされている、ことを特徴とする請求項８に記載した投光器。
【考案の詳細な説明】
【技術分野】
【０００１】
本考案は投光器に関し、殊に、建物内部において照明器具が取付けられる前に所定の明るさが必要な場合において、簡易に取付けて必要とする明るさを確保することのできる投光器に関する。  
【背景技術】
【０００２】
建物の建築において、照明器具は建物の完成後または建物の引き渡し後に取付けられるのが通常であり、照明器具の取付前に必要とされる照明は投光器で確保するのが一般的である。このようなとき、コンセントなどの電源手段が使用できる場合は、実開平６−７３８０１号公報に記載されているように電源接続用端子を備えた照明スタンドやクランプ付ライト等が使用される。
【０００３】
しかし、電源手段が使用できる場合であっても、内装工事、或いは建物の完成後で照明器具を取付ける前の点検作業や補修作業においては、天井側から室内を広く照らすことで作業しやすくなる場合が多いが、上述のような投光器を天井側から支持して下向きに照らすことは支持具の設置が必要となって、大きな手間を要することになる。
【０００４】
この問題に対し、実開平２−１３４６１０号公報に提案されているように、天井側に取付ボルトで取付けて投光器を吊り下げる方式の投光器が知られている。この場合、天井側から吊り金具で吊り下げた発光部からコンセントプラグを有するケーブルを延出して電源手段に接続して使用している。
【０００５】
ところが、この投光器は吊り金具の取付ボルトを取付けるための天井取付部を予め天井側に設けることが必要であり、且つ、取付作業に手間を要することから次々と作業場所を変えて作業を進める場合には不便なものである。また、投光器から延出されたケーブルが作業の邪魔になりやすいという欠点もある。
【０００６】
さらに、上述した総ての投光器に共通して、電源手段が天井または天井付近の壁等の高位置にある場合は、電源接続用端子を電源手段に接続させるために脚立の設置が必要となって手間を要し、また、脚立を搬入・設置することで床や壁に傷を付けてしまうトラブルを伴いやすい。
【特許文献１】実開平６−７３８０１号公報
【特許文献２】実開平２−１３４６１０号公報
【考案の開示】
【考案が解決しようとする課題】
【０００７】
本考案は、上記のような問題点を解決しようとするものであり、照明器具が取付けられる前に使用する投光器について、電源手段が高所等の手が届きにくい場所にある場合でも電源接続用端子を容易に接続可能としながら発光部を適切な位置で支持できるようにすることを課題とする。
【課題を解決するための手段】
【０００８】
そこで、本考案は、上下に所定の長さを有する棒状のロッド部とロッド部下端側に設けられ電気的に発光する発光部とロッド部上端側に設けられ電源手段に接続するための接続部とを備え、発光部から延出された配線が接続部の電源接続用端子に接続されてなる投光器であって、接続部には電源手段側に係合して係止される係合構造を備えており、この係合構造を電源手段側の係合構造に係合させることにより、発光部が所定位置で支持されるとともに電源接続用端子が電源に接続され、配線に通電させることで発光部が発光して所定の方向に投光するものとした。
【０００９】
これにより、例えば従来の投光器が電源手段が天井にあって手が届かない場合には投光器の電源接続用端子を接続するために脚立等の補助具が必要になるところ、所定長さのロッド部を備えた本考案の投光器は、下側部分を把持して上端側の接続部を高く持ち上げれば電源手段の位置に合わせることが容易になり、その係合構造に係合させるだけで容易に電源接続用端子が電源に接続され、且つ、発光部が吊り下げた状態で支持されて目的とする場所を適切に照らせるものとなる。
【００１０】
また、この投光器を、接続部が引掛シーリング用のアダプタ部材を接続金具側を上向きにして有したものとし、このアダプタ部材を天井に設けられた電源手段としての引掛シーリングに接続することにより電源に接続されて吊支されるものとすれば、接続および取り外しが容易であることに加え、接続および吊支状態が堅固となって落下しにくく安全性に優れたものとなる。
【００１１】
さらにまた、この引掛シーリング用のアダプタ部材を備えた接続部を、ロッド部上端側から上向きに突設したコンセント用端子に、下向きのコンセント孔を有するアダプタ部材をコンセント接続してなるものとすれば、電源手段がコンセントの場合に、アダプタ部材を外すだけで容易に接続可能とすることができ、しかも重量が重くなければコンセント用端子とコンセント孔との係合だけでも接続した状態で支持できるものとなる。そして、この投光器において、コンセント用端子とアダプタ部材との接続をロッド部上端側に設けた係合構造とアダプタ部材に設けた係合構造とが係合することで補強されるものとすれば、コンセント用端子が抜けて落下する心配を解消することができ、また、外したアダプタ部材をロッド部側面の所定位置で保持するための保持構造を備えたものとすれば、アダプタ部材を使用しない場合の置き場所に困らないものとなる。
【００１２】
加えて、上述した投光器において、ロッド部が複数の径の異なる管状部材からなり振出し釣竿式に長さ方向に所定範囲で伸縮自在とされており、且つ、所定の固定手段が配設されて管状部材同士を所定位置で係止して長さを固定できるものとすれば、電源手段までの距離に応じてロッド部の長さを容易に変更できるものとなる。
【００１３】
さらに加えて、上述した投光器において、発光部による投光をＯＮ／ＯＦＦ操作するためのスイッチ手段が所定位置に設けられたものとすれば、ＯＮ／ＯＦＦ操作が極めて容易なものとなる。そして、上述した投光器において、接続部がロッド部上端側に所定のジョイント手段で接続され電源接続用端子の先端の向きをロッド部の中心軸線に沿う向きから所定範囲で屈曲可能としたものとすれば、電源手段が下向きの場合以外でも接続容易とするとともに、発光部を適切な向きにすることが容易になり、そのジョイント手段をユニバーサルジョイントとして電源接続用端子の先端を任意の方向に屈曲可能とするとともに所定範囲で旋回可能なものとすれば、あらゆる向きの電源手段に容易に対応できるものとなる。
【考案の効果】
【００１４】
発光部と接続部とを所定の長さを有するロッド部で繋げてなる本考案によると、電源手段が高所等の手の届きにくい位置にある場合でも、電源接続用端子を容易に接続することができ、発光部を適切な位置で支持できるものである。
【考案を実施するための最良の形態】
【００１５】
以下に、図面を参照しながら本考案を実施するための最良の形態について説明する。尚、本考案において、引掛シーリングには所謂引掛ローゼットも含むものとする。
【００１６】
図１は本考案における第１の実施の形態である投光器１Ａの正面図を示している。投光器１Ａは、主として建築工事がある程度進行して通電可能な電源手段が設けられた段階において、所定の作業を実施可能とするための仮設照明器具として使用されるものである。
【００１７】
投光器１Ａは、電球２０、電球２０の基端部側を挿入して電気的に接続するためのソケット２１、電球２０を保護するための釣り鐘状のカバー部材２２を有した発光部２Ａと、所定の長さを有する管状部材３０Ａ、ソケット２１から延出され管状部材３０Ａ内部に挿通された配線３１、管状部材３０Ａの下側を覆う凹凸を付した弾性素材からなるグリップ３２、グリップ３２上に配設されたスイッチ３３、を有したロッド部３Ａと、ロッド部３Ａの上端側に上向きに設けられ配線３１を電源に接続するとともに電源手段側に接続して係止させるための引掛シーリング用のアダプタ部材４０Ａを有した接続部４Ａ、とを備えている。
【００１８】
発光部２Ａの電球２０は、例えば居住用建物の点検、補修等に用いる場合には１００Ｖ、２００Ｗ／ｈ程度のものが適当である。カバー部材２２は、投光器１Ａによる投光を広い範囲でほぼ均一な明るさを確保する場合には図１に示すような透明樹脂を格子状にして電球２０の側方を覆う釣り鐘状のものが好ましい。
【００１９】
ロッド部３Ａの管状部材３０Ａは、金属製のもの、或いは所定の強度が確保できれば樹脂製のものでもよく、グリップ３２は滑りにくさの観点からゴム製や軟質樹脂製のものが好ましい。また、ソケット２１から延出された配線３１を構成する２本の電線の一方はグリップ３２の表面に配設されたスイッチ３３に接続されており、配線３１による回路を連結・切断して発光をＯＮ／ＯＦＦ操作できるようになっている。
【００２０】
接続部４Ａのアダプタ部材４０Ａは、天井に配設される電源手段であると同時に照明を吊支するための基台となる引掛シーリングに接続するためのアダプタと同一のものであり、直方体状の本体上面対向位置に配設された一対の鈎状の接続金具４１ａ，４１ｂが、電源に電気的に接続すると同時に引掛シーリング側に係止されてその下側の部分を吊支させる機能を有している。
【００２１】
次に、本実施の形態の作用について図２を用いながら説明する。例えば、建物がほぼ完成した状態において、電源手段としての引掛シーリング５０が配設され照明器具は取付けられていない状況において、内装工事や点検作業、或いは引き渡し前の補修作業が行われることが多い。このとき、作業を行うために所定の明るさが必要となるため、引掛シーリング５０に直接接続できる本考案の投光器１Ａを使用するものである。
【００２２】
引掛シーリング５０は天井側に配設されている関係で、従来の投光器における電源接続用プラグを接続する場合に脚立が必要となって接続作業が面倒なものとなり、また作業場所を次々と移動するような点検作業・補修作業等においてこの接続部の着脱作業を繰り返すことで大きな手間を要するという問題があった。これに対し、本考案の投光器１Ａは、図２に示すように作業者がグリップ３２付近を把持して接続部４Ａ側を持ち上げれば、一般的な高さの天井に配設された引掛シーリング５０に容易に届く高さとなる点を特徴としている。
【００２３】
そして、アダプタ部材４０Ａの一対の接続金具４１ａ，４１ｂ（図１参照）を引掛シーリング５０下面に開口した挿入孔に挿入し、所定角度回転させるだけで電源に接続され、また引掛シーリング５０側にしっかりと係止されて電球２０を下にして投光器１Ａを天井側から吊り下げることができる。
【００２４】
そして、接続が完了したら、グリップ３２上に設けられたスイッチ３３をＯＮにして通電させ電球２０を発光させる。尚、スイッチ３３を比較的低い位置となるグリップ３２上に設けたことで指が容易に届きスイッチ操作を簡単なものとしている。また、このように天井側から投光器１Ａを吊支するようにしたことで、室内を広く均一に照らすことができ、作業の行いやすい環境をつくることができる。
【００２５】
また、投光器１Ａを天井側に直接取付けることで、投光器を床に設置する場合と比べて投光器自体および電源ケーブルの存在が作業の邪魔にならない。さらに、作業が終了して次の場所に移動する場合は、前記同様に脚立を要することなく容易にアダプタ部材４０Ａを引掛シーリング５０から外して、投光器１Ａを次の場所に移動して同様に使用することができる。従って、大きな現場であっても投光器１Ａは少数用意すれば済むものであり、極めて経済的である。
【００２６】
図３は、本考案における第２の実施の形態の投光器１Ｂの構成・作用を説明するための拡大部分図であり、図１の投光器１Ａの接続部４Ａの代わりに、コンセント用端子４３ａ，４３ｂをロッド部３Ｂ上端側から突設してなるプラグ状部４３Ａと、着脱自在のアダプタ部材４０Ｂとからなるものとしたものである。アダプタ部材４０Ｂには、引掛シーリング５０に接続するための一対の鈎状の接続金具４１ａ，４１ｂが上面（図中右側）に設けてあるが、その反対面にはコンセント孔４５，４５を有している（図３（Ａ）参照）点を特徴としている。
【００２７】
図３（Ａ），（Ｂ），（Ｃ）は、投光器１Ｂのロッド部３Ｂの中央部から先端側を拡大した部分図である。管状部材３０Ｂの略中央位置側面には引掛シーリング５０とほぼ同様の構造でアダプタ部材４０Ｂを保持するための係合孔４２ａ，４２ｂを備えて配線３１に接続されていない保持部材４２が設けられており、通常のコンセントに接続する際などアダプタ部材４０Ｂを使用しない場合に、これにアダプタ部材４０Ｂの接続金具４１ａ，４１ｂを挿入して固定させることで安定して保持させることができる。
【００２８】
そして、アダプタ部材４０Ｂを使用する場合は、保持部材４２に取付けた状態から所定角度回転させることで容易に取り外すことができ、図３（Ｂ）に示すようにアダプタ部材４０Ｂのコンセント孔４５，４５をプラグ状部４３Ａに向け、図３（Ｃ）に示すようにコンセント用端子４３ａ，４３ｂを挿入させて接続する。
【００２９】
そして、アダプタ部材４０Ｂのコンセント孔４５,４５のある面側から突出するように鈎爪状の係合爪４６，４６が延設されており、側方視でさらに拡大した図３（Ｄ）に示すように、これらがプラグ状部４３Ａ側面に設けた結合凹部４４，４４に係合するようになっており、結合状態を堅固なものとしている。これにより、アダプタ部材４０Ｂで天井側に接続して吊り下げた場合に、この結合部分で脱落する心配のないものとなる。尚、アダプタ部材４０Ｂを外す場合は係合爪４６，４６の先端側を指で摘んで広げるように引張ると容易に外れるようになっている。
【００３０】
図４は投光器１Ｂの応用例であり、図４（Ａ）に示すように投光器１Ｂのプラグ状部４３Ａを二つに分断して蝶番状のジョイント４１Ａで接続し、図４（Ｂ）に示すようにロッド部の中心軸線との角度を所定範囲で変更して先端側を屈曲できるようにしたプラグ状部４３Ｂを備えたものである。このようにすることで、例えば図６（Ａ）に示すように、天井近くの壁面に配設したコンセント６０を電源手段として利用する場合に、プラグ状部４３Ｂのコンセント用端子４３ａ，４３ｂ側がほぼ水平方向になるようにジョイント４１Ａ部分で屈曲させれば、挿入・接続が可能となる。
【００３１】
この状態においてコンセント用端子４３ａ，４３ｂの側方に重力がかかるようになるため、容易には抜けにくいものとなる。また、図６（Ｂ）に示すように床に近い低い位置にあるコンセント６１を電源手段として利用する場合には、コンセント用端子４３ａ，４３ｂ先端側を４５度程度に屈曲させて挿入・接続させ、電球２０のある側は床の上に置くようにすればよい。さらに、図５（Ａ），（Ｂ）に示すように蝶番状のジョイント４１Ａの代わりにユニバーサルジョイントであるジョイント４１Ａで接続するようにしたプラグ状部４３Ｃとすれば、任意の方向にコンセント用端子４３ａ，４３ｂの先端を向けるとともに所定範囲で旋回可能とし、且つ所定強度で向きを固定することができるため、より対応力に優れたものとなる。尚、図５（Ｃ）に示すように、ジョイント部４１Ａ基端側を固定用スリーブ４１１をスライドさせて覆い、コンセント用端子４３ａ，４３ｂ先端側をロッド部の中心軸線に沿う向きで固定できるようにすれば、接続部をロッド部から真っ直ぐの向きで電源手段に接続させる場合に便利である。
【００３２】
図７，８は上述した第１の実施の形態、および第２の実施の形態に共通して適用することができる応用例を示したものである。図７はロッド部を複数の径の異なる管状部材４７，４８．４９からなる振出し釣竿式にして長さ方向に１〜２．５倍の長さに伸縮自在とした場合を示したものであり、管状部材４７，４８．４９同士の重畳した結合部分には、環ネジ状の固定部４７ｂ，４８ｂが配設されて、任意位置で管状部材４７，４８．４９同士を係止して長さを固定できるようになっている。これにより、電源手段の位置に応じてロッド部３Ｂの長さを変更できるものである。尚、この場合、ロッド部３Ｂ内部の配線３１は、例えば螺旋状に形成して長さ方向に所定範囲で伸縮自在のものとすればロッド部３Ｂの伸縮に追従できるようになる。
【００３３】
図８は、電球２０基端側が傘状反射板２３で覆われて光の広がりを狭めて集中させるようにした発光部２Ｂを示すものであり、これに加えて、蝶番状のジョイント４１Ｃでロッド部との接続部分を屈曲可能として所定の向きに固定可能としており、さらにジョイント４１Ｃの上方はロッド部の軸線を中心に枢着されて発光部２Ｂを旋回可能とする枢着部２５を有している。これにより、任意の方向に投光できるようになり、より作業しやすい環境をつくりやすいものとなっている。
【００３４】
以上、述べたように、本考案により電源手段が手の届きにくい位置にある場合でも、電源接続用端子を容易に接続して発光部を適切な位置に支持できるものである。
【００３５】
尚、上述の説明において、建物の照明器具が取付けられる前の点検作業・補修作業を行う際に使用する場合を説明したが、本考案の用途はこれに限定されるものではなく、ロッド部の長さを利用して電源手段に容易に接続出来ることが有用な場合において上述と同様に使用することができ、同様の効果を発揮するものである。また、ロッド部を円柱状とした実施の形態を説明したが、これに限定されず、例えば四角柱や三角柱等の角柱状であってもよい。このようにすることでロッド部の中心軸周りに投光器を回転させて接続部を電源手段に接続させる操作において有利であり、またロッド部の側面が平面となってアダプタ部材を保持するための保持部材を設けやすい点で有利である。さらに、図７のような振り出し釣り竿式のロッド部の場合に複数の管状部材同士が中心軸周りにずれることを回避することもできる。
【図面の簡単な説明】
【００３６】
【図１】本考案の第１の実施の形態を示す正面図。
【図２】図１の投光器の使用方法・作用を説明するための正面図。
【図３】（Ａ），（Ｂ），（Ｃ），（Ｄ）は、本考案の第２の実施の形態の構成・作用を説明するための拡大部分図。
【図４】（Ａ），（Ｂ）は図３の投光器の応用例を示す拡大部分図。
【図５】（Ａ），（Ｂ），（Ｃ）は図３の投光器の他の応用例を示す拡大部分図。
【図６】（Ａ），（Ｂ）は図４の投光器の使用例を示す正面図。
【図７】図１の投光器及び図３の投光器に共通する応用例を示す正面図。
【図８】図１の投光器及び図３の投光器に共通する他の応用例を示す正面図。
【符号の説明】
【００３７】
１Ａ，１Ｂ  投光器、２Ａ，２Ｂ  発光部、３Ａ，３Ｂ  ロッド部、４Ａ，４Ｂ  接続部、２０  電球、２１  ソケット、２２  カバー部材、２３  傘状反射板、２５  枢着部、３０Ａ，３０Ｂ,４７，４８，４９  管状部材、４７ｂ，４８ｂ  固定部、３１  配線、３２  グリップ、３３  スイッチ、４０Ａ，４０Ｂ  アダプタ部材、４１Ａ，４１Ｂ，４１Ｃ  ジョイント、４１ａ，４１ｂ  接続金具、４２  保持部材、４３Ａ，４３Ｂ，４３Ｃ  プラグ状部、４３ａ，４３ｂ  コンセント用端子、４４  結合凹部、４５  コンセント孔、４６  係合爪、５０  引掛シーリング、６０，６１  コンセント
【図１】
0003123398.tif 000003
【図２】
0003123398.tif 000004
【図３】
0003123398.tif 000005
【図４】
0003123398.tif 000006
【図５】
0003123398.tif 000007
【図６】
0003123398.tif 000008
【図７】
0003123398.tif 000009
【図８】
0003123398.tif 000010